(57)【要約】【課題】ボックス本体の開口に対し分割したリッドを有する構造であっても係るリッド間の隙間のシール性を確保すると共に、両リッドが開いた状態では開口が分割されることのないコンソールボックスを提供する。【解決手段】開口１４を有するボックス本体１０と、開口１４に対して同一方向へ開閉可能にヒンジを介してボックス本体１０に組み付けられた一対のリッド２０と、一対のリッド２０の間の隙間を閉鎖すると共にリッド２０の開閉に追従して回動するシールバー７０と、を有する。【選択図】図３
2019166960.tif 000002
【特許請求の範囲】
【請求項１】
開口を有するボックス本体と、
前記開口に対して同一方向へ開閉可能にヒンジを介して前記ボックス本体に組み付けられた一対のリッドと、
前記一対のリッドの間の隙間を閉鎖すると共に前記リッドの開閉に追従して回動するシールバーと、を有するコンソールボックス。
【請求項２】
請求項１に記載されたコンソールボックスであって、
前記一対のリッドの回動軸と前記シールバーの回動軸との中心軸が同一線上に配設されているコンソールボックス。
【請求項３】
請求項１または請求項２に記載されたコンソールボックスであって、
前記シールバーは、前記一対のリッドの裏面に向かって付勢されるバネを有するコンソールボックス。
【発明の詳細な説明】
【技術分野】
【０００１】
本発明は、コンソールボックスに関する。
【背景技術】
【０００２】
従来、ボックス本体の開口に対しヒンジを介して開閉可能に組み付けられた一対の蓋体（リッド）を備えた機構がコンソールボックスに採用されたものがある（例えば、特許文献１）。このようなコンソールボックスにおいては、冷却機能を備える場合、冷気を極力逃がしたくないといった冷却効率の低下を防ぐため蓋体周辺にシール構造を備えるものがある。更に一対の蓋体の間には、隙間ができてしまうことから係る隙間を塞ぐようにシール構造をすることが考えられる。
【先行技術文献】
【特許文献】
【０００３】
【特許文献１】特開２００９−１４３３７５号公報
【発明の概要】
【発明が解決しようとする課題】
【０００４】
しかしながら、上述のような構造において、係る隙間を塞ぐため単にシール構造を採用すると、コンソールボックスの開口部が分割されてしまい取り出し性に影響を及ぼし得る。
【０００５】
本発明は、このような点に鑑みて創案されたものであり、本発明が解決しようとする課題は、ボックス本体の開口に対し分割したリッドを有する構造であっても係るリッド間の隙間のシール性を確保すると共に、両リッドが開いた状態では開口が分割されることのないコンソールボックスを提供することにある。
【課題を解決するための手段】
【０００６】
上記課題を解決するコンソールボックスは、開口を有するボックス本体と、前記開口に対して同一方向へ開閉可能にヒンジを介して前記ボックス本体に組み付けられた一対のリッドと、前記一対のリッドの間の隙間を閉鎖すると共に前記リッドの開閉に追従して回動するシールバーと、を有する。
【０００７】
上記構成の１つの特徴及び利点は、一対のリッドの間の隙間を閉鎖すると共にリッドの開閉に追従して回動するシールバーを有する。これにより、ボックス本体の開口に対し分割したリッドを有する構造であっても係るリッド間の隙間のシール性を確保すると共に、両リッドが開いた状態では開口が分割されることのないコンソールボックスを提供することができ得る。
【０００８】
上記コンソールボックスについて、前記一対のリッドの回動軸と前記シールバーの回動軸との中心軸が同一線上に配設されていることが好ましい。
【０００９】
上記構成の１つの特徴及び利点は、一対のリッドの回動軸とシールバーの回動軸との中心軸が同一線上に配設されているため、リッドとシールバーが一体として回動する構成となり見栄えの向上が図られ得る。
【００１０】
上記コンソールボックスについて、前記シールバーは、前記一対のリッドの裏面に向かって付勢されるバネを有することが好ましい。
【００１１】
上記構成の１つの特徴及び利点は、一対のリッドの裏面に向かって付勢されるバネを有することで、リッドの開閉に追従して回動するシールバーの構成を複雑な構成を有することなく得ることができる。
【発明の効果】
【００１２】
本発明は上記各発明の手段をとることにより、ボックス本体の開口に対し分割したリッドを有する構造であっても係るリッド間の隙間のシール性を確保すると共に、両リッドが開いた状態では開口が分割されることのないコンソールボックスを提供することができる。
【図面の簡単な説明】
【００１３】
【図１】本実施形態に係るコンソールボックスの全体斜視図である。
【図２】本実施形態に係るコンソールボックスの分解斜視図である。
【図３】本実施形態に係るコンソールボックスの左右のリッドを開いた状態を示す斜視図である。
【図４】本実施形態に係るコンソールボックスの右のリッドを閉じる途中状態を示す斜視図である。
【図５】本実施形態に係るコンソールボックスの左のリッドのみを閉じた状態を示す斜視図である。
【図６】本実施形態に係るコンソールボックスの右のリッドのみを閉じた状態を示す斜視図である。
【図７】図１のＶＩＩ−ＶＩＩ線断面図である。
【図８】図１のＶＩＩＩ−ＶＩＩＩ線断面図である。
【図９】図５のＩＸ−ＩＸ線断面図である。
【図１０】図１のＸ−Ｘ線断面図である。
【発明を実施するための形態】
【００１４】
以下に、本発明を実施するための一形態を、図１〜１０を用いて説明する。なお、以下の説明にあたって、上、下、前、後、左、右とは、上述した図に記載した、上、下、前、後、左、右の方向、すなわち、コンソールボックス１を自動車の床フロア（いずれも図示しない）に組み付けた状態を基準にしたときの上、下、前、後、左、右の方向を示している。
【００１５】
実施形態に係るコンソールボックス１の全体構成を説明する。このコンソールボックス１は、図１〜３に示すように、主として、ボックス本体１０と、左右に対を成すリッド２０と、ロック機構４０と、シールバー７０から構成されている。
【００１６】
図１〜３に示すように、ボックス本体１０は、その内部には、物品（図示しない）を収納可能な収納部１２が形成されている（図２〜３参照）。この収納部１２の上側には、収納部１２に対して物品を出し入れ可能な開口１４が形成されている。これにより、開口１４を介して収納部１２に対して物品を収納できる。更に収納部１２には、収納部内の温度を冷却する冷却機構（不図示）が構成されている。
【００１７】
このボックス本体１０の上側の開口１４の周囲には、これを囲むようにリッド２０の裏面と接するシール部材１５（図８、９参照）が配される。これにより収納部１２における冷気が外部に漏れるといった冷却機能の低下を防いでいる。開口１４の前方側の上面は、後述するシールバー７０が嵌まり込む凹部１９が形成されている。
【００１８】
ボックス本体１０の上方には、開口１４を塞いで閉じる左右に対を成すリッド２０が配設されている。リッド２０は、左右に対を成すものであるため、左のリッド２０を説明することで、右のリッド２０の説明を省略することとする。
【００１９】
左右のリッド２０は、後端側がヒンジピン３０を介してボックス本体１０にそれぞれ組み付けられている。これにより、左右のリッド２０は、前端側が前後方向に移動することで開口１４に対し開閉可能な構成とされている。また、左右のリッド２０は、開口１４が開く方向（左右のリッド２０が開く方向）に向かってトーションばね３２によってそれぞれ付勢されている。コンソールボックス１は、このように構成されている。このように構成されているコンソールボックス１のボックス本体１０は、自動車の運転席と助手席との間の床フロア（いずれも図示しない）に組み付けられている。
【００２０】
ロック機構４０は、左右のリッド２０にそれぞれ構成されている。ロック機構４０は、左右のリッド２０がそれぞれ閉じた状態を保持するロック機能と、操作力を及ぼすことで左右のリッド２０をそれぞれ独立して開くロック解除機能を有する機構である。ロック機構４０は、リッド２０の前面にそれぞれ構成されている。
【００２１】
図１〜３、７〜１０に示すように、シールバー７０は、左右のリッド２０の間の隙間を閉鎖する部材である。シールバー７０は、帯板状の部材であり上面が平滑な平面のシール面７２を有している。このシール面７２は、冷気が外部に漏れるのを防ぐためにシール部材７５（図８、９参照）が構成されていてもよい。シールバー７０は、開口１４の前後方向における開口長さより長く、且つ、ボックス本体１０の前後方向における外周長さより短い。シールバー７０は、左右のリッド２０間の隙間よりも大きく、且つ、シール面７２が左右のリッド２０の裏面２２に接する幅を有している。シールバー７０は、後方側がヒンジピン８０を介してボックス本体１０に組み付けられている。ヒンジピン８０は、左右のヒンジピン３０の間に配設される。シールバー７０の回動軸であるヒンジピン８０は、リッド２０の回動軸であるヒンジピン３０との中心軸が同一線上に配されている。シールバー７０は、前端側が凹部１９に嵌合される。これにより、シールバー７０のシール面７２と開口１４の上面との面の間に段差が無い状態となっている。シールバー７０は、左右のリッド２０の開閉方向と同方向にトーションばね８２によって付勢されている。そのため、シールバー７０は、シール面７２が常に左右のリッド２０の裏面（換言すればインナー部材２２）に接する方向に付勢されているため、リッド２０の開閉に追従して回動する。
【００２２】
図３〜６に示すように、シールバー７０は、一方のリッド２０が開いた状態（他方のリッド２０が閉じた状態）でも留まった状態（凹部１９に嵌合した状態）となる。ここで、シールバー７０は、一方のリッド２０が開いた状態で、他方のリッド２０を開く方向へ回動すると他方のリッド２０の裏面２２にくっついたように回動するため、開口１４に留まらない。シールバー７０は、左右のリッド２０が開くとトーションばね８２の付勢によって左右のリッド２０に追従して回動する。すなわち、シールバー７０は、左右のリッド２０の裏面２２にくっついたように回動するため、開口１４に留まらない。また、シールバー７０は、左右のリッド２０のいずれかを閉じる際に、先に閉じるリッド２０の裏面（換言すればインナー部材２２）にくっついたように回動するため、どちらのリッド２０を回動させても干渉することがない。
【００２３】
このように、本実施形態のコンソールボックス１によれば、左右のリッド２０の間の隙間を閉鎖すると共にリッド２０の開閉に追従して回動するシールバー７０を有する。これにより、ボックス本体１０の開口１４に対し分割したリッド２０を有する構造であっても係るリッド２０間の隙間のシール性を確保すると共に、両リッド２０が開いた状態では開口１４が分割されることのないコンソールボックス１を提供することができ得る。
【００２４】
また、左右のリッド２０の回動軸であるヒンジピン３０と、シールバー７０の回動軸であるヒンジピン８０との中心軸が同一線上に配設されているため、リッド２０とシールバー７０が一体として回動する構成となり見栄えの向上が図られ得る。
【００２５】
また、左右のリッド２０の裏面に向かって付勢されるトーションばね８２を有することで、リッド２０の開閉に追従して回動するシールバー７０の構成を複雑な構成を有することなく得ることができる。
【００２６】
以上、本発明の実施形態について説明したが、本発明はかかる実施形態に限定されず、その他各種の形態で実施することができるものである。本実施形態では、シールバー７０は、リッド２０の開閉に追従して回動する態様としてトーションばね８２で付勢する構成を示したが、これに限られない。例えば、リッド２０の裏面及びシールバー７０の双方に磁石などの磁性体を配する、または双方のうち少なくとも一方に磁石などの磁性体を配し他方に鉄などの磁性体に吸引される部材を配する態様であってもよい。これにより、シールバー７０は、リッド２０の開閉に追従してくっついたように回動する態様となり得る。また、コンソールボックス１は、リッド２０の開閉において必ずしもロック機構４０がある態様に限られず、ロック機構４０が無い態様であってもよい。
【符号の説明】
【００２７】
１        コンソールボックス
１０      ボックス本体
１２      収納部
１４      開口
１５      シール部材
１９      凹部
２０      リッド
２２      裏面
３０      ヒンジピン
３２      トーションばね
４０      ロック機構
７０      シールバー
７２      シール面
７５      シール部材
８０      ヒンジピン
８２      トーションばね
【図１】
2019166960.tif 000003
【図２】
2019166960.tif 000004
【図３】
2019166960.tif 000005
【図４】
2019166960.tif 000006
【図５】
2019166960.tif 000007
【図６】
2019166960.tif 000008
【図７】
2019166960.tif 000009
【図８】
2019166960.tif 000010
【図９】
2019166960.tif 000011
【図１０】
2019166960.tif 000012